(57)【要約】【課題】台座とバッファーの間に連接ブロックを枢着し連接することにより、足踏み板を踏むときには二つの足踏み板がハ字形に移動できる。【解決手段】台座と、第一足踏み板と、第二足踏み板と、連接ブロックとから構成され、前記台座の二つの予定位置では枢着ラグがそれぞれ設けてあり、二つの枢着ラグの間には一つの固定台が固定して設けてあり、前記固定台には逆ハ字形を呈する二つの定位ロッドが上へ突設してあり、また、前記固定台の外縁の一側面の予定位置では一つの遊び車が設けてあり、前記遊び車にはロープが巻いてあり、前記ロープの両端が第一足踏み板と第二足踏み板とにそれぞれ固定してあり、前記足踏み板は、その一端には定位ロッドと対応するスリーブが設けてあり、その他端の底部にはバッファーと枢着し連接する枢着片が設けてあることを特徴とする回転式足踏み機の構造。【選択図】図２
0003109419.tif 000002
【実用新案登録請求の範囲】
【請求項１】
台座と、第一足踏み板と、第二足踏み板と、連接ブロックとから構成され、前記台座の二つの予定位置では枢着ラグがそれぞれ設けてあり、二つの枢着ラグの間には一つの固定台が固定して設けてあり、前記固定台には逆ハ字形を呈する二つの定位ロッドが上へ突設してあり、また、前記固定台の外縁の一側面の予定位置では一つの遊び車が設けてあり、前記遊び車にはロープが巻いてあり、前記ロープの両端が第一足踏み板と第二足踏み板とにそれぞれ固定してあり、前記足踏み板は、その一端には定位ロッドと対応するスリーブが設けてあり、その他端の底部にはバッファーと枢着し連接する枢着片が設けてあり、前記バッファーの他端の中心には、軸線と平行する連接片と、台座の枢着ラグと枢着し連接する連接ブロックとが設けてある回転式足踏み機の構造において、
前記連接ブロックは、その一端にはある程度の深さを有し前後に貫通した溝が設けてあり、前記溝の両側の内壁面の適当な位置では外部と連通する第一枢着孔が開設してあり、なお、前記溝の前後開口面の予定位置では第一枢着孔と垂直した第二枢着孔が開設してあり、これにより、バッファーの連接片が前記溝に設置され第一枢着孔と枢着し、なお、第二枢着孔が枢着ラグと枢着し連接することを特徴とする、
回転式足踏み機の構造。
【請求項２】
前記台座は、二つの水平枠と一つのメン枠とをＨ字形に結合して構成されたものであり、前記水平枠のメン枠と結合する箇所では枢着ラグが設けてあることを特徴とする、請求項１に記載の回転式足踏み機の構造。
【請求項３】
前記スリーブの直径方向の予定位置では円弧形のストリップが外側へ突設してあり、なお、前記ロープの端部がストリップの末端に固定されることを特徴とする、請求項１に記載の回転式足踏み機の構造。
【考案の詳細な説明】
【技術分野】
【０００１】
本考案は回転式足踏み機の構造に係り、特に台座とバッファーの間に連接ブロックを枢着し連接することにより、足踏み板を踏むときには二つの足踏み板がハ字形に移動できる回転式足踏み機の構造に関するものである。
【背景技術】
【０００２】
図７に示すのは、従来の足踏み機５０であり、それは一つの台座５１を有し、前記台座５１の一端の中央には一つのメンロッド５２が上へ突設してあり、前記メンロッド５２の両側には上下に相対運動できる第一足踏み板５３と第二足踏み板５４とが枢着し設けてあり、二つの足踏み板５３，５４の底面の予定位置では一つの緩衝素子５５がそれぞれ枢着し設けてあり、なお、前記緩衝素子５５の他端が台座５１の予定位置に枢着し設けてあり、これにより、二つの足踏み板５３，５４が踏まれるときには緩衝素子５５によって緩衝効果を収めることができる。
【０００３】
上記の説明から明らかなように、使用者は足部で第一足踏み板５３を踏むときには、第一足踏み板５３が降下状態になり、このとき、緩衝素子５５がゆっくりと圧力を吸収することにより第一足踏み板５３は徐徐に降下し、また、第二足踏み板５４と第一足踏み板５３とは連動関係であるので、第二足踏み板５４が上昇になり、この連動関係により、使用者は運動効果を得ることができる。
【考案の開示】
【考案が解決しようとする課題】
【０００４】
しかしながら、使用者は足部で第一足踏み板５３と第二足踏み板５４とを踏むときには、それらの足踏み板が上下にそれぞれ移動し、このとき、使用者の足部は往復の上下変化を受けるが、それらの足踏み板５３，５４が直線的に上下に移動するだけであるので、運動効果を受けるのは足部だけであり、他の部位は運動効果を受けることができなかった。
【０００５】
本考案の主な目的は、台座とバッファーの間に連接ブロックを枢着し連接することにより、足踏み板を踏むときには二つの足踏み板がハ字形に移動できる回転式足踏み機の構造を提供する。
【課題を解決するための手段】
【０００６】
上記目的を達成するためになされた本願の考案は、台座と、第一足踏み板と、第二足踏み板と、連接ブロックとから構成され、前記台座の二つの予定位置では枢着ラグがそれぞれ設けてあり、二つの枢着ラグの間には一つの固定台が固定して設けてあり、前記固定台には逆ハ字形を呈する二つの定位ロッドが上へ突設してあり、また、前記固定台の外縁の一側面の予定位置では一つの遊び車が設けてあり、前記遊び車にはロープが巻いてあり、前記ロープの両端が第一足踏み板と第二足踏み板とにそれぞれ固定してあり、前記足踏み板は、その一端には定位ロッドと対応するスリーブが設けてあり、その他端の底部にはバッファーと枢着し連接する枢着片が設けてあり、前記バッファーの他端の中心には、軸線と平行する連接片と、台座の枢着ラグと枢着し連接する連接ブロックとが設けてある回転式足踏み機の構造において、前記連接ブロックは、その一端にはある程度の深さを有し前後に貫通した溝が設けてあり、前記溝の両側の内壁面の適当な位置では外部と連通する第一枢着孔が開設してあり、なお、前記溝の前後開口面の予定位置では第一枢着孔と垂直した第二枢着孔が開設してあり、これにより、バッファーの連接片が前記溝に設置され第一枢着孔と枢着し、なお、第二枢着孔が枢着ラグと枢着し連接することを特徴とする回転式足踏み機の構造であることを要旨としている。
【０００７】
本願の考案では、前記台座は、二つの水平枠と一つのメン枠とをＨ字形に結合して構成されたものであり、前記水平枠のメン枠と結合する箇所では枢着ラグが設けてあることを特徴とする請求項１に記載の回転式足踏み機の構造であることを要旨としている。
【０００８】
本願の考案では、前記スリーブの直径方向の予定位置では円弧形のストリップが外側へ突設してあり、なお、前記ロープの端部がストリップの末端に固定されることを特徴とする、請求項１に記載の回転式足踏み機の構造であることを要旨としている。
【考案の効果】
【０００９】
本考案に係る回転式足踏み機の構造によれば、次のような効果がある。
（イ）第一足踏み板２０と第二足踏み板３０とは押されて外側へハ字形のように旋回することにより、運動効果は足部だけあるではなく、足踏み板が揺動するときには臀部も運動効果を得ることができ、運動効果が向上する。
【００１０】
（ロ）バッファー２４，３４と第一、二枢着ラグ１３，１４との間に連接ブロック４０を枢着し連接することにより、第一、二足踏み板２０，３０は旋回するときにバッファー２４，３４の移動角度に合うことができるので、足踏み板は旋回不能になる可能性がなくなり、また、前記連接ブロック４０は、構造が簡単で製造コストが低くて組合いが容易である。自在継手を使用すると、上記目的を達成することはできるが、自在継手は製造コストが高くて取り付け作業も困難なので、やはり連接ブロック４０を使用した方がいい。だから、本考案に係る連接ブロック４０の設計は上記効果を達成するための主な構成である。
【考案を実施するための最良の形態】
【００１１】
以下、添付図面を参照して本考案の好適な実施の形態を詳細に説明する。
【００１２】
まず、図１乃至図６を参照する。本考案に係る回転式足踏み機の構造は、台座１０と、第一足踏み板２０と、第二足踏み板３０と、連接ブロック４０とから構成される。前記台座１０は、二つの水平枠１１と一つのメン枠１２とをＨ字形に結合して構成されたものであり、前記水平枠１１のメン枠１２と結合する箇所では第一枢着ラグ１３と第二枢着ラグ１４とがそれぞれ設けてあり、また、前記水平枠１１の頂面の中央にはＵ字形断面を呈する固定台１５が固定して設けてあり、前記固定台１５には逆ハ字形を呈する二つの定位ブロック１５１が設けてあり、各定位ブロック１５１の中央には一つの定位ロッド１５２が上へ突設してあり、また、前記固定台１５の外縁の一側面の予定位置では一つの遊び車１６が設けてあり、前記遊び車１６にはロープ１７が巻いてあり、前記ロープ１７の両端が第一足踏み板２０と第二足踏み板３０とにそれぞれ固定してある。
【００１３】
前記第一、二足踏み板２０，３０は、その一端には定位ロッド１５２と対応するスリーブ２１，３１が設けてあり、前記スリーブ２１，３１が定位ロッド１５２に嵌められるので、第一、二足踏み板２０，３０が旋回可能になり、前記スリーブ２１，３１の直径方向の予定位置では円弧形のストリップ２２，３２が外側へ突設してあり、なお、前記ロープ１７の端部がストリップ２２，３２の末端に固定されることにより、第一、二足踏み板２０，３０は連動関係になり、また、前記第一、二足踏み板２０，３０の他端の底部にはバッファー２４，３４と枢着し連接する第一、二枢着片２３，３３が設けてあり、前記バッファー２４，３４の他端の中心には、軸線と平行する連接片２４１，３４１と、台座１０の第一、二枢着ラグ１３，１４と枢着し連接する連接ブロック４０とが設けてある。
【００１４】
前記連接ブロック４０は、その一端にはある程度の深さを有し前後に貫通した溝４１が設けてあり、前記溝４１の両側の内壁面の適当な位置では外部と連通する第一枢着孔４２が開設してあり、なお、前記溝４１の前後開口面の予定位置では第一枢着孔４２と垂直した第二枢着孔４３が開設してあり、これにより、バッファー２４，３４の第一、二足踏み板２０，３０と連接する他端は連接ブロック４０の前記溝４１に設置され第一枢着孔４２と枢着し、なお、第二枢着孔４３が第一、二枢着ラグ１３．１４と枢着し連接し、これにより、連接ブロック４０は第一、二枢着ラグ１３．１４に対して上下に揺動することができ、なお、バッファー２４．３４の連接ブロック４０と連接する一端は前記溝４１内に旋回可能になる。
【００１５】
上記の説明から明らかなように、使用者は足部で第一足踏み板２０を踏むときには、バッファー２４が圧迫されて圧縮状態になり、第一足踏み板２０が降下状態になり、このとき、定位ロッド１５２により、第一足踏み板２０が外側へ旋回する状態になり、なお、前記バッファー２４も第一足踏み板２０に従って外側へ旋回する状態になるが、バッファー２４の連接ブロック４０と連接する一端は前記溝４１内に旋回し、なお、連接ブロック４０も前記バッファー２４の降下角度を調整できるので、第一足踏み板２０は外側へ旋回しながら降下することを達成でき、また、第一足踏み板２０が降下するときにストリップ２２はロープ１７を内側へ引き、ロープ１７は遊び車１６を通じて第二足踏み板３０にあるストリップ３２を引いて、第二足踏み板３０が内側へ旋回し、なお、第二足踏み板３０も上方に旋回する。逆に、使用者は足部で第二足踏み板３０を踏むときには、第一足踏み板２０が上昇し第二足踏み板３０が降下する状態になり、且つ連接ブロック４０の設置により、上昇又は降下しながらハ字形のように旋回することがもっと順調になる。
【産業上の利用可能性】
【００１６】
本考案に係る回転式足踏み機の構造によれば、次のような効果があるため、市場の拡大が期待できる。
（イ）第一足踏み板２０と第二足踏み板３０とは押されて外側へハ字形のように旋回することにより、運動効果は足部だけあるではなく、足踏み板が揺動するときには臀部も運動効果を得ることができ、運動効果が向上する。
（ロ）バッファー２４，３４と第一、二枢着ラグ１３，１４との間に連接ブロック４０を枢着し連接することにより、第一、二足踏み板２０，３０は旋回するときにバッファー２４，３４の移動角度に合うことができるので、足踏み板は旋回不能になる可能性がなくなり、また、前記連接ブロック４０は、構造が簡単で製造コストが低くて組合いが容易である。
【図面の簡単な説明】
【００１７】
【図１】本考案の斜視概略図である。
【図２】本考案の分解斜視図である。
【図３】本考案に係る足踏み板が作動されて外側へ揺動することを示す平面図である。
【図４】本考案に係る足踏み板が作動されて外側へ揺動するときにバッファーの作動を示す概略図である。
【図５】本考案に係る足踏み板が作動されて上がったり下がったりすることを示す概略図である。
【図６】本考案に係る足踏み板が作動されて上がったり下がったりするときにバッファーの作動を示す概略図である。
【図７】従来のものの斜視概略図である。
【符号の説明】
【００１８】
（従来の部分）
５０      足踏み機                
５１      台座
５２      メンロッド              
５３      第一足踏み板
５４      第二足踏み板            
５５      緩衝素子
（本考案の部分）
１０      台座                    
１１      水平枠
１２      メン枠                  
１３      第一枢着ラグ
１４      第二枢着ラグ            
１５      固定台
１５１    定位ブロック            
１５２    定位ロッド
１６      遊び車                  
１７      ロープ
２０      第一足踏み板            
３０      第二足踏み板
２１，３１      スリーブ
２２，３２      ストリップ
２３      第一枢着片              
３３      第二枢着片
２４，３４      バッファー
２４１，３４１  連接片
４０      連接ブロック            
４１      溝
４２      第一枢着孔              
４３      第二枢着孔
【図１】
0003109419.tif 000003
【図２】
0003109419.tif 000004
【図３】
0003109419.tif 000005
【図４】
0003109419.tif 000006
【図５】
0003109419.tif 000007
【図６】
0003109419.tif 000008
【図７】
0003109419.tif 000009